(57)【要約】    【課題】 コインを簡単にかつ効率よく並べながら取り出すことができるようにしたコイン受け皿を提供すること。    【解決手段】 ゲーム機本体１の下部前面に設けられると共に、前壁８ａ及び側壁８ｂからなる周壁８と底壁９とから構成され、コイン払出口６から払い出されるコインＣを受け入れて貯えるコイン受け皿７であって、コイン受け皿７の底壁９には、コインＣの径とほぼ同径の半円状に形成されると共に周壁８に向かって傾斜状に延在する導出溝１０が設けられる構成としたこと。【選択図】  図２
2005185424.tif 000002
【特許請求の範囲】
【請求項１】
ゲーム機本体の下部前面に設けられると共に、前壁及び側壁からなる周壁と底壁とから構成され、コイン払出口から払い出されるコインを受け入れて貯える受け皿であって、
該受け皿の底壁には、前記コインを前記周壁の外に導く導出溝が設けられることを特徴とするコインゲーム機のコイン受け皿。
【請求項２】
ゲーム機本体の下部前面に設けられると共に、前壁及び側壁からなる周壁と底壁とから構成され、コイン払出口から払い出されるコインを受け入れて貯える受け皿であって、
該受け皿の底壁には、前記コインの径とほぼ同径の半円状に形成されると共に前記周壁に向かって傾斜状に延在する導出溝が設けられることを特徴とするコインゲーム機のコイン受け皿。
【請求項３】
前記導出溝は、前記周壁の上端面まで延在することを特徴とする請求項２に記載のコインゲーム機のコイン受け皿。
【請求項４】
前記導出溝は、前記受け皿の長手方向に沿って前記側壁に向かって傾斜状に延在することを特徴とする請求項３に記載のコインゲーム機のコイン受け皿。
【請求項５】
前記導出溝は、前記受け皿の長手方向に沿って前記側壁の何れか一方に向かって傾斜状に延在することを特徴とする請求項３に記載のコインゲーム機のコイン受け皿。
【請求項６】
前記導出溝は、前記受け皿の前壁に向かって傾斜状に延在することを特徴とする請求項３に記載のコインゲーム機のコイン受け皿。
【請求項７】
前記コインを前記導出溝に導く段部が前記底壁に設けられることを特徴とする請求項３乃至請求項６何れかに記載のコインゲーム機のコイン受け皿。
【請求項８】
前記段部は、前記導出溝に連続して凹状に形成されることを特徴とする請求項７に記載のコインゲーム機のコイン受け皿。
【請求項９】
前記段部は、前記底壁上の前記コイン払出口に対応する位置に設けられることを特徴とする請求項８に記載のコインゲーム機のコイン受け皿。
【請求項１０】
前記段部は、前記導出溝と交差するように延在することを特徴とする請求項９に記載のコインゲーム機のコイン受け皿。
【発明の詳細な説明】
【技術分野】
【０００１】
本発明は、スロットマシンなどの様にコインが払い出されるコインゲーム機のコイン受け皿に関するものである。
【背景技術】
【０００２】
従来、この種のコインゲーム機のコイン受け皿はゲーム機本体の下部前面に設けられ、コイン払出口から払い出されるコインを受け入れて一定量貯えておけるだけの容量を備えている。そして、遊技者は、払い出されたコインをコイン投入口へ投入してゲームを行ない、一定量のコインが溜ったときやゲームを終えるときはコイン受け皿内のコインを手指で掻き寄せて別の容器に移し替えている。
【０００３】
たとえば、従来のコインゲーム機のコイン受け皿としては、後述の特許文献１に記載のものが公知となっている。この特許文献１に記載のコイン受け皿においては、コイン受け皿の底面をコインの下面が密着しないように凹凸面に形成することによって、受け皿内のコインの残りが少なくなった状況でも、底面に接するコインの下面の少なくとも一部が底面より浮き上がって指先に掛かりやすくし、残ったコインを容易に掻き寄せ取り出すことができるようになっている。
【特許文献１】特開平１０−２９０８５８号公報（第２〜３頁、図４を参照）
【発明の開示】
【発明が解決しようとする課題】
【０００４】
スロットマシンなどに代表されるコインゲーム機では、コイン投入口にコインを連続して効率よく投入するために、遊技者は、コイン受け皿の壁面などを利用して所望の枚数分（数枚乃至１０数枚）のコインを並べて、このコインを重ねた状態にして左手または右手に持っておき、ゲームの進行に応じてコイン投入口に順次投入していくといった遊技形態を、通例とっている。
【０００５】
上述した特許文献１に記載のコイン受け皿においては、コインの残りが少なくなった状況でもコインを取り出し易い構成となっているものの、コイン投入口への投入に好適となるように、受け皿内からコインを所望の枚数分だけ取り出して並べて、重ねた状態にして左手または右手に重ねて持つ、という一連の作業を遊技者が行なう必要があった。この作業を、ゲームの終了までその都度行なわなければならないため、遊技者にとっては手間がかかって不便なものとなっており、ひいては、迅速なゲーム進行の妨げにもなっていた。
【０００６】
また、仮に上述の如く、受け皿の壁面などを利用してコインを並べるにしても、この受け皿の壁面は、元来コインを並べるためのものではなく、効率よくコインを並べることができるとは言い難い。
【０００７】
よって、本発明は上記の問題点に鑑みてなされたものであり、コインを簡単にかつ効率よく並べながら取り出すことができるようにしたコイン受け皿を提供することを課題とする。
【課題を解決するための手段】
【０００８】
上記課題を解決するために、本発明にて講じた第１の技術的手段は、請求項１に記載の様に、ゲーム機本体の下部前面に設けられると共に、前壁及び側壁からなる周壁と底壁とから構成され、コイン払出口から払い出されるコインを受け入れて貯える受け皿であって、該受け皿の底壁には、前記コインを前記周壁の外に導く導出溝が設けられる構成としたことである。
【０００９】
上記課題を解決するために、本発明にて講じた第２の技術的手段は、請求項２に記載の様に、ゲーム機本体の下部前面に設けられると共に、前壁及び側壁からなる周壁と底壁とから構成され、コイン払出口から払い出されるコインを受け入れて貯える受け皿であって、該受け皿の底壁には、前記コインの径とほぼ同径の半円状に形成されると共に前記周壁に向かって傾斜状に延在する導出溝が設けられる構成としたことである。
【００１０】
好ましくは、請求項３に記載の様に、前記導出溝は、前記周壁の上端面まで延在する構成とすると良い。
【００１１】
好ましくは、請求項４に記載の様に、前記導出溝は、前記受け皿の長手方向に沿って前記側壁に向かって傾斜状に延在する構成とすると良い。
【００１２】
好ましくは、請求項５に記載の様に、前記導出溝は、前記受け皿の長手方向に沿って前記側壁の何れか一方に向かって傾斜状に延在する構成とすると良い。
【００１３】
好ましくは、請求項６に記載の様に、前記導出溝は、前記受け皿の前壁に向かって傾斜状に延在する構成とすると良い。
【００１４】
好ましくは、請求項７に記載の様に、前記コインを前記導出溝に導く段部が前記底壁に設けられる構成とすると良い。
【００１５】
好ましくは、請求項８に記載の様に、前記段部は、前記導出溝に連続して凹状に形成される構成とすると良い。
【００１６】
好ましくは、請求項９に記載の様に、前記段部は、前記底壁上の前記コイン払出口に対応する位置に設けられる構成とすると良い。
【００１７】
好ましくは、請求項１０に記載の様に、前記段部は、前記導出溝と交差するように延在する構成とすると良い。
【発明の効果】
【００１８】
本発明によれば、底壁に設けられる導出溝によってコインが周壁の外に導かれる。この導出溝は、コインの径とほぼ同径の半円状に形成されているので、導出溝内のコインは遊技者の手の移動に伴ってスムーズにスライドすると共に、その半円形状に案内されて簡単にかつ効率よく並べられていく。さらに、導出溝は側壁の上端面まで傾斜状に延在する構成となっているため、遊技者は、導出溝に沿ってコインをスライドさせて並べながら、同時に、その傾斜に沿ってコインを側壁の上端面に向かって移動させていけば、並べられた状態のコインをそのまま取り出すことができる。
【発明を実施するための最良の形態】
【００１９】
以下、本発明を実施するための最良の形態を、図面を基に説明する。図１は本発明のコイン受け皿７を備えるスロットマシンの斜視図である。スロットマシンのゲーム機本体１には上部に３個のリール２，２，２が横並びに配列され、その下方にコイン投入口３とスタートレバー４及び３個のストップボタン５，５，５が配置される。そして、ゲーム機本体１の下部中央にコイン払出口６が設けられ、このコイン払出口６の下方にコイン受け皿７が設けられる。
【００２０】
このスロットマシンは、コイン投入口３からコインを投入した後、スタートレバー４を操作して３個のリール２，２，２を回転させ、次いでストップボタン５，５，５を順次押してそれらに対応する前記リール２，２，２を順次停止させ、その際のリール２，２，２の各外周面に表示した図柄の組み合わせが一定の有効図柄の組み合わせになったとき、所定枚数のコインをコイン払出口６から払い出し、コイン受け皿７に受けるようになっている。
【００２１】
コイン受け皿７は、前壁８ａと左右の側壁８ｂ，８ｂからなる周壁８と底壁９とから構成され、上端全面を開放している。図２及び図３に示すように、底壁９にはコインを周壁８の外に導く導出溝１０が設けられている。導出溝１０は、図４に示すように、コインＣの径とほぼ同径の半円状に形成されている。また、導出溝１０は、コイン受け皿７の長手方向に沿って左右の各側壁８ｂ，８ｂに向かって上下に傾斜状に延在し、さらには、同側壁８ｂの上端面８ｓまで延在する構成となっている。なお、本実施形態では、導出溝１０は左右の各側壁８ｂ，８ｂに向かって傾斜状に延在する構成となっているが、周壁８に向かって傾斜状に延在するものであれば良く、例えば、前壁８ａに向かって傾斜状に延在するものや、左右の各側壁８ｂ，８ｂの何れか一方に向かって傾斜状に延在するものであっても良い。
【００２２】
底壁９には、コイン払出口６から払い出されるコインを導出溝１０に導く段部１１が設けられている。段部１１は、導出溝１０に連続して凹状に形成されている。段部１１は、コイン受け皿７がゲーム機本体１に取り付けられた状態にて、底壁９上のコイン払出口６に対応する位置に設けられ、導出溝１０と交差するように延在している。この凹状の段部１１によって、コイン払出口６から払い出されるコインが導出溝１０へと案内され、コインが導出溝１０に効率よく導かれる構成となっている。なお、段部１１の構成は、本実施形態のものに限定されず、例えば、導出溝１０に連続して形成されるものであれば、段部１１の位置は底壁９上において任意であっても良い。また、段部１１の幅や形状に関しても、コインを導出溝１０に導くのに好適なものであれば良い。
【００２３】
次に、底壁９に設けられる導出溝１０を用いて遊技者がコイン受け皿７からコインを取り出す際の一連の動作について、図５を参照して説明する。図５は、遊技者の手の動きとこれに伴うコインＣの動きとを模式的に描いた図である。
【００２４】
図５（ａ）は、コイン受け皿７において、複数のコインＣが導出溝１０内に導かれた状態を示している。前述したように、導出溝１０は、コインＣの径とほぼ同径の半円状に形成されているので、導出溝１０内に位置するコインＣと同導出溝１０の底面との間には常に隙間ができるようになっている。
【００２５】
この状態で、遊技者Ｐが隙間に左手もしくは右手（同図においては右手）の指先を入れてコインＣに指をかけ、そのまま手を導出溝１０に沿って側壁８ｂの方向にある程度の勢いで移動させると、図５（ｂ）及び（ｃ）に示すように、導出溝１０内のコインＣは、遊技者Ｐの手の移動に伴って側壁８ｂの方向にスライドしながら、同時に、遊技者Ｐの手に最も近い位置にあるコインＣから順に起こされていくような格好となり、ひいては、コインＣが徐々に並べられていくこととなる。
【００２６】
さらに引き続いて、遊技者Ｐが手を導出溝１０の傾斜に沿って側壁８ｂの上端面８ｓに向かって移動させると、図５（ｄ）に示すように、導出溝１０内のコインＣは、傾斜の作用によって完全に並んだ状態となる。そして、遊技者Ｐが、この並べられた複数のコインＣを保持しながら、そのまま手を導出溝１０に沿って側壁８ｂの上端面８ｓの上方まで移動させると、並べられた状態のコインＣをコイン受け皿７から取り出すことができる。
【００２７】
以上説明した様に、本発明のコイン受け皿７によれば、底壁９に設けられる導出溝１０によってコインＣが周壁８の外に導かれる。この導出溝１０は、コインＣの径とほぼ同径の半円状に形成されているので、導出溝１０内のコインＣは遊技者の手の移動に伴ってスムーズにスライドすると共に、その半円形状に案内されて簡単にかつ効率よく並べられていく。さらに、導出溝１０は側壁８ｂの上端面８ｓまで傾斜状に延在する構成となっているため、遊技者は、導出溝１０に沿ってコインＣをスライドさせて並べながら、同時に、その傾斜に沿ってコインＣを側壁８ｂの上端面８ｓに向かって移動させていけば、並べられた状態のコインＣをそのまま取り出すことができる。つまり、遊技者はコインを並べる作業と並べられたコインを取り出す作業とを一連の流れの中で連続して効率よく行なうことができるため、遊技者の手間が減って便利であり、ひいてはゲーム進行の迅速化にもつながる。
【００２８】
以上の実施形態を示したが、本発明はこの形態に限定されるものではなく、本発明の要旨を逸脱しない範囲で、様々な形態を実施しうるものである。
【図面の簡単な説明】
【００２９】
【図１】本発明のコイン受け皿を備えるコインゲーム機の斜視図である。
【図２】本発明のコイン受け皿の斜視図である。
【図３】本発明のコイン受け皿の平面図である。
【図４】本発明のコイン受け皿の断面図（図３におけるＩＶ方向矢視図）である。
【図５】導出溝を用いてコイン受け皿からコインを取り出す際の一連の動作を説明する図である。
【符号の説明】
【００３０】
１  ゲーム機本体
６  コイン払出口
７  コイン受け皿（受け皿）
８  周壁
８ａ  前壁
８ｂ  側壁
８ｓ  上端面
９  底壁
１０  導出溝
１１  段部
Ｃ  コイン
【図１】
2005185424.tif 000003
【図２】
2005185424.tif 000004
【図３】
2005185424.tif 000005
【図４】
2005185424.tif 000006
【図５】
2005185424.tif 000007